(57)【要約】【課題】小型化しながら切れ味を良好にするとともに、ヘアをカットする操作がしやすくなるヘアカッターを提供する。【解決手段】櫛歯状の可動刃３０を櫛歯状の固定刃２９にバネ部材３１で押し付けた状態で、可動刃３０を振動型リニアアクチュエータ１３で往復振動Ｆさせるヘアカッター１０であって、可動刃３０を固定刃２９に押し付けるバネ部材３１は、可動刃３０を往復振動Ｆの方向に共振（移動）させるための共振バネを兼ねながら、可動刃３０を固定刃２９に押し付けるためのバネ成分Ｈと、可動刃３０を往復振動Ｆの方向に共振（移動）させるためのバネ成分Ｉとを、それぞれ別々に調整することが可能であるから、可動刃３０を固定刃２９に押し付けるためのバネ成分Ｈを大きくすることで、ヘアカッター１０を小型化しながら、切れ味を良好にすることができる。【選択図】図１
2007190311.tif 000002
【特許請求の範囲】
【請求項１】
櫛歯状の可動刃を櫛歯状の固定刃にバネ部材で押し付けた状態で、可動刃を振動型リニアアクチュエータで往復振動させるヘアカッターであって、
前記バネ部材には、可動刃を固定刃に押し付けるためのバネ成分を調整する箇所と、可動刃を往復振動の方向に共振させるためのバネ成分を調整する箇所とを別々に形成していることを特徴とするヘアカッター。
【請求項２】
前記バネ部材には、可動刃を固定刃に押し付ける方向の捩りモーメントを設定していることを特徴とする請求項１に記載のヘアカッター。
【請求項３】
前記バネ部材は、正面視で略Ｕ字状に形成して、一端部を可動刃に連結固定し、他端部を固定刃に連結固定して、内角を変えることで可動刃を固定刃に押し付けるためのバネ成分を調整するとともに、有効長さ若しくは幅を変えることで可動刃を往復振動の方向に共振させるためのバネ成分を調整するようにしたことを特徴とする請求項１または２に記載のヘアカッター。
【請求項４】
前記バネ部材は、一端部と他端部の間の中間部に捩りを付与することで捩りモーメントを設定することを特徴とする請求項３に記載のヘアカッター。
【発明の詳細な説明】
【技術分野】
【０００１】
本発明は、振動型リニアアクチュエータを備えたヘアカッターに関する。
【背景技術】
【０００２】
従来、振動型リニアアクチュエータ（リニアモータ）を備えた往復式電気カミソリがある（特許文献１参照）。
【０００３】
この往復式電気カミソリでは、可動刃（内刃）を固定刃（ネット状外刃）にバネ部材で押し付けた状態で、可動刃を振動型リニアアクチュエータで往復振動させるようになっている。
【０００４】
ところで、図６および図７に示すように、ヘアカッター１に振動型リニアアクチュエータ２を採用して、櫛歯状の可動刃３を櫛歯状の固定刃４にバネ部材５で押し付けた状態で、可動刃３を振動型リニアアクチュエータ２で往復振動Ｆさせるようにすることが考えられる。なお、振動型リニアアクチュエータ２等の構成については、後述する〔発明を実施するための最良の形態〕の項で詳細に説明する。
【０００５】
そして、ヘアカッター１を小型化するために、バネ部材５は、可動刃３を固定刃４に押し付けるための押し付けバネと、可動刃３を往復振動Ｆの方向に共振（移動）させるための共振バネとを兼ねさせている。
【特許文献１】特開平１０−９４６８４号公報
【発明の開示】
【発明が解決しようとする課題】
【０００６】
しかしながら、背景技術では、バネ部材５はコイルバネであることから、図８（ａ）のバネ部材５の状態から、図８（ｂ）のバネ部材５の状態のように、可動刃３を固定刃４に押し付けるバネ成分Ｈを大きくしようとすると、ヘアカッター１の刃ブロック（可動刃３、固定刃４、バネ部材５）の高さが高くなるとともに、刃先の近くにバネ部材５を配置しなければならないため、刃先周辺が大きくなって、ヘアをカットする操作がしにくいという問題があった。
【０００７】
また、図８（ａ）のバネ部材５の状態から、図８（ｃ）のバネ部材５の状態のように、可動刃３を共振させるバネ成分Ｉを大きくしようとすると、可動刃３を固定刃４に押し付けるバネ成分Ｈが弱くなり、ヘアをカットするときに、可動刃３が固定刃４から浮き上がるので、切れ味が悪くなるという問題があった。
【０００８】
本発明は、前記問題を解消するためになされたもので、小型化しながら切れ味を良好にするとともに、ヘアをカットする操作がしやすくなるヘアカッターを提供することを目的とするものである。
【課題を解決するための手段】
【０００９】
前記課題を解決するために、本発明は、櫛歯状の可動刃を櫛歯状の固定刃にバネ部材で押し付けた状態で、可動刃を振動型リニアアクチュエータで往復振動させるヘアカッターであって、前記バネ部材には、可動刃を固定刃に押し付けるためのバネ成分を調整する箇所と、可動刃を往復振動の方向に共振させるためのバネ成分を調整する箇所とを別々に形成していることを特徴とするヘアカッターを提供するものである。
【００１０】
刃先周辺を小さくしてヘアをカットする操作をしやすくしながら、さらに切れ味を良好にするために、前記バネ部材には、可動刃を固定刃に押し付ける方向の捩りモーメントを設定していることが好ましい。
【００１１】
可動刃を固定刃に押し付けるためのバネ成分と、可動刃を往復振動の方向に共振させるためのバネ成分とを簡単に調整できるようにするために、前記バネ部材は、正面視で略Ｕ字状に形成して、一端部を可動刃に連結固定し、他端部を固定刃に連結固定して、内角を変えることで可動刃を固定刃に押し付けるためのバネ成分を調整するとともに、有効長さ若しくは幅を変えることで可動刃を往復振動の方向に共振させるためのバネ成分を調整するように構成することが好ましい。
【００１２】
捩りモーメントを簡単に設定できるようにするために、前記バネ部材は、一端部と他端部の間の中間部に捩りを付与することで捩りモーメントを設定することが好ましい。
【発明の効果】
【００１３】
本発明によれば、可動刃を固定刃に押し付けるバネ部材は、可動刃を往復振動の方向に共振（移動）させるための共振バネを兼ねながら、可動刃を固定刃に押し付けるためのバネ成分と、可動刃を往復振動の方向に共振（移動）させるためのバネ成分とを、それぞれ別々に調整することが可能であるから、可動刃を固定刃に押し付けるためのバネ成分を大きくすることで、ヘアカッターを小型化しながら、切れ味を良好にすることができる。
【００１４】
また、可動刃を固定刃に押し付けるためのバネ成分を大きくしても、ヘアカッターの刃ブロック（可動刃、固定刃、バネ部材）の高さが高くならないとともに、刃先の近くにバネ部材を配置しなくても良いため、刃先周辺が大きくならないので、ヘアをカットする操作がしやすくなる。
【発明を実施するための最良の形態】
【００１５】
以下、本発明を実施するための最良の形態について、図面を参照しながら詳細に説明する。
【００１６】
図１〜図３に示すように、ヘアカッター１０は、前ハウジング１１Ａと後ハウジング１１Ｂとを合体させてなる略円筒状の本体ハウジング１１を備えている。
【００１７】
この本体ハウジング１１内の上部には、振動型リニアアクチュエータ１３のステータコアブロック１４が格納されるとともに、下部には、電源用の乾電池１５と振動型リニアアクチュエータ１３の運動を制御する制御回路１６とが格納されている。
【００１８】
振動型リニアアクチュエータ１３には、可動子１８とステータコアブロック（固定子）１４と保持部材１９とが設けられている。
【００１９】
可動子１８は、磁性材料であるヨーク２０と、ヨーク２０の上面に立設された駆動軸２１と、ヨーク２０の下面に接着された永久磁石２２とで構成されている。
【００２０】
ステータコアブロック１４は、磁性材料の焼結体や磁性材料の鉄板を積層したステータ２３に絶縁物２４を介して絶縁した状態で巻き線（電線）２５を施した電磁石で構成されていて、前後のハウジング１１Ａ，１１Ｂの間で固定されている。
【００２１】
左右一対の保持部材１９は、ステータコアブロック１４に対して可動子１８を保持して、可動子１８の永久磁石２２をステータコアブロック１４に対して非接触状態で、ギャップ２６〔図２（ｂ）参照〕を隔てて面対向させるとともに、その撓み方向に可動子１８を往復振動Ｆさせるためのものである。
【００２２】
そして、ステータコアブロック１４である電磁石の電流方向を交番にすることで、永久磁石２２とともに可動子１８が往復振動Ｆするようになる。
【００２３】
刃ブロック２８は、櫛歯状の固定刃２９および可動刃３０とバネ部材３１とで構成されていて、固定刃２９は、後ハウジング１１Ｂの上端部に斜め向きで固定されている。
【００２４】
左右一対のバネ部材３１は、一定幅の板バネ材料を正面視で略Ｕ字状に屈曲させて形成して、図４（ａ）（ｂ）に示すように、一端部３１ａの内向き折り曲げ部３１ｄを可動刃３０に連結固定するとともに、他端部３１ｂの内向き折り曲げ部３１ｅを固定刃２９に連結固定している。
【００２５】
このバネ部材３１は、可動刃３０を固定刃２９に押し付けるとともに、可動刃３０を往復振動Ｆの方向に移動可能に保持するようになる。つまり、バネ部材３１は、可動刃３０を固定刃２９に押し付ける押し付けバネと、可動刃３０（正確には、可動刃３０と可動子１８を含む可動ブロック３３）を往復振動Ｆの方向に共振（移動）させるための共振バネとを兼ねている。
【００２６】
可動刃３０にはカップリング用凹部３０ａが形成され、このカップリング用凹部３０ａに、可動子１８の駆動軸２１が嵌り込むようになる。したがって、可動子１８が往復振動Ｆされると、可動子１８とともに可動刃３０も往復振動Ｆされることで、固定刃２９との間でヘア（毛）をカットできるようになる。
【００２７】
バネ部材３１は、可動刃３０と固定刃２９とに連結固定する前のフリー状態では、図４（ｃ）に実線で示す形状であり、可動刃３０と固定刃２９とに連結固定した取付け状態では、同図に二点鎖線で示す形状に弾性変形するようになる。つまり、バネ部材３１の一端部３１ａに対して中間部３１ｃとともに他端部３１ｂを可動刃３０の方向に曲げることで、可動刃３０を固定刃２９に押し付けるためのバネ成分Ｈが発生する。
【００２８】
このバネ成分Ｈは、一端部３１ａと内向き折り曲げ部３１ｄとの間の内角θ１、一端部３１ａと中間部３１ｃとのとの間の内角θ２、他端部３１ｂと中間部３１ｃとの間の内角θ３、他端部３１ｂと内向き折り曲げ部３１ｅとの間の内角θ４のいずれかを変えることで調整することができる。
【００２９】
また、可動刃３０と可動子１８を含む可動ブロック３３を往復振動Ｆの方向に共振（移動）させるためのバネ成分Ｉは、バネ部材３１の有効長さＬを変えたり、側面の幅Ｗを変えることで調整することができる。
【００３０】
したがって、可動刃３０を固定刃２９に押し付けるバネ部材３１は、可動刃３０と可動子１８を含む可動ブロック３３を往復振動Ｆの方向に共振（移動）させるための共振バネを兼ねながら、可動刃３０を固定刃２９に押し付けるためのバネ成分Ｈと、可動ブロック３３を往復振動Ｆの方向に共振（移動）させるためのバネ成分Ｉとを、それぞれ独立して調整することが可能となる。
【００３１】
前記のように構成したヘアカッター１０では、可動刃３０を固定刃２９に押し付けるバネ部材３１は、可動刃３０を往復振動Ｆの方向に共振（移動）させるための共振バネを兼ねながら、可動刃３０を固定刃２９に押し付けるためのバネ成分Ｈと、可動刃３０を往復振動Ｆの方向に共振（移動）させるためのバネ成分Ｉとを、それぞれ別々に調整することが可能であるから、可動刃３０を固定刃２９に押し付けるためのバネ成分Ｈを大きくすることで、ヘアカッター１０を小型化しながら、切れ味を良好にすることができる。
【００３２】
また、可動刃３０を固定刃２９に押し付けるためのバネ成分Ｈを大きくしても、ヘアカッター１０の刃ブロック（可動刃３０、固定刃２９、バネ部材３１）２８の高さが高くならないとともに、刃先の近くにバネ部材３１を配置しなくても良いため、刃先周辺が大きくならないので、ヘアをカットする操作がしやすくなる。
【００３３】
さらに、バネ部材３１を略Ｕ字状に形成することで、内角θ１〜θ４を変えることで可動刃３０を固定刃２９に押し付けるためのバネ成分Ｈを簡単に調整でき、有効長さＬ若しくは幅Ｗを変えることで可動刃３０を往復振動Ｆの方向に共振（移動）させるためのバネ成分Ｉを簡単に調整できるようになる。
【００３４】
図５に示すように、バネ部材３１の一端部３１ａと他端部３１ｂの間の中間部３１ｃに捩り〔図５（ａ）では、他端部３１ｂ側に対して、一端部３１ａ側を角度θ５で捩っている。〕を付与することで、可動刃３０を固定刃２９に押し付ける方向Ｅの捩りモーメントを設定することができる。つまり、バネ部材３１は、可動刃３０と固定刃２９とに連結固定する前のフリー状態では、図５（ａ）に実線で示す形状であり、可動刃３０と固定刃２９とに連結固定した取付け状態では、図５（ｂ）に実線で示す形状に弾性変形するようになる。
【００３５】
このように、バネ部材３１に可動刃３０を固定刃２９に押し付ける方向Ｅの捩りモーメントを設定することで、図５（ｂ）のように、刃先から離れた位置にバネ部材３１を配置しても可動刃３０の押し付け力が強まるので、刃先周辺を小さくしてヘアをカットする操作をしやすくしながら、さらに切れ味を良好にすることができる。
【００３６】
また、バネ部材３１に捩りを付与することで、捩りモーメントを簡単に設定することができる。
【図面の簡単な説明】
【００３７】
【図１】本発明の実施形態に係るヘアカッターの分解斜視図である。
【図２】本発明の実施形態に係る振動型リニアアクチュエータと刃ブロックとの組立体であり、（ａ）は斜視図、（ｂ）は正面図である。
【図３】本発明の実施形態に係る振動型リニアアクチュエータと刃ブロックとの組立体の側面図である。
【図４】本発明の実施形態に係るバネ部材であり、（ａ）は平面図、（ｂ）は斜視図、（ｃ）は弾性変形状態を示す平面図である。
【図５】本発明の実施形態に係る変形例のバネ部材であり、（ａ）はフリー状態の側面図、（ｂ）は取付け状態の側面図である。
【図６】従来のヘアカッターの振動型リニアアクチュエータと刃ブロックとの組立体であり、（ａ）は斜視図、（ｂ）は正面図である。
【図７】従来の振動型リニアアクチュエータと刃ブロックとの組立体の側面図である。
【図８】（ａ）〜（ｃ）は、それぞれ従来のバネ部材の取付け状態を示す正面図である。
【符号の説明】
【００３８】
１０    ヘアカッター
１３    振動型リニアアクチュエータ
２８    刃ブロック
２９    固定刃
３０    可動刃
３１    バネ部材
３１ａ  一端部
３１ｂ  他端部
３１ｃ  中間部
３３    可動ブロック
Ｆ      往復振動
Ｈ      バネ成分
Ｉ      バネ成分
Ｌ      長さ
Ｗ      幅
【図１】
2007190311.tif 000003
【図２】
2007190311.tif 000004
【図３】
2007190311.tif 000005
【図４】
2007190311.tif 000006
【図５】
2007190311.tif 000007
【図６】
2007190311.tif 000008
【図７】
2007190311.tif 000009
【図８】
2007190311.tif 000010